(57)【要約】      （修正有）【課題】誤動作を防止できる回転電子機器の操作つまみを提供する。【解決手段】電子機器のケース２に設けられた貫通穴２ａの奥に回転軸の先端が配置される回転電子機器３の操作つまみ４であって、前記回転軸の先端に非円形の凹部または凸部を設け、操作つまみ４に一体に形成された軸の先端に前記凹部または凸部と嵌合する凸部または凹部を設け、前記操作つまみ４を前記回転電子機器３の回転軸に挿脱可能とした。前記回転軸の先端に設けられた凹部または凸部の形状は、正六角形とした。【選択図】図４
2009176492.tif 000002
【特許請求の範囲】
【請求項１】
電子機器のケースに設けられた貫通穴の奥に回転軸の先端が配置される回転電子機器の操作つまみであって、前記回転軸の先端に非円形の凹部または凸部を設け、操作つまみに一体に形成された軸の先端に前記凹部または凸部と嵌合する凸部または凹部を設け、前記操作つまみを前記回転電子機器の回転軸に挿脱可能としたことを特徴とする回転電子機器の操作つまみ。
【請求項２】
前記非円形の凹部または凸部を正六角形とした請求項１の回転電子機器の操作つまみ。
【請求項３】
前記電子機器が携帯無線機である請求項１または２の回転電子機器の操作つまみ。
【発明の詳細な説明】
【技術分野】
【０００１】
この発明は回転電子機器の操作つまみに関する。
【背景技術】
【０００２】
従来の携帯無線機の操作つまみの例を図１０および図１１により説明する。図１０に示す携帯無線機１のケース２は穴２ａ、２ａを有しており、ケース２の内部に配置されているロータリエンコーダ１１Ａ（図１１に図示）の回転軸１１ａと音量調整用ボリュームの回転軸１１ｂを穴２ａ、２ａから突出させている。なお、音量調整用ボリュームは回転軸１１ｂを回転させることにより電源ＯＮ／ＯＦＦと音量調整が可能となっている。
【０００３】
回転軸１１ａおよび回転軸１１ｂを回転させるために夫々操作つまみ１２Ａおよび操作つまみ１２Ｂが図１０（ａ）に矢印で示すように強嵌合される。操作つまみ１２Ａおよび操作つまみ１２Ｂは図１０（ｂ）に矢印で示すように強く引っ張ることにより回転軸１１ａおよび回転軸１１ｂから外すこことができる。図１１（ａ）は操作つまみ１２Ａを軸１１ａに強嵌合させた状態を示し、図１１（ｂ）は操作つまみ１２Ａを軸１１ａから外した状態を示している。
【０００４】
上記した従来の携帯無線機の操作つまみによると、操作つまみは常時ロータリエンコーダ等の回転軸に取り付けてあるため、誤って操作つまみを回転させて携帯無線機を誤動作させることがあった。また、携帯無線機をバッグ等に入れて携帯するときに物に接触して操作つまみが回転することもあった。
【０００５】
特開２００４−３５６４４１号公報に開示された部材回動構造は、つまみ体１０でボリューム１８のシャフト１６を回転させ、つまみ体１０を回転させるトルクが介在弾性部材１４の摩擦力により調整される構造である。
【０００６】
特開２００４−３５６４４１号公報に開示された部材回動構造による、つまみ体１０を回転させるトルクが安定しているために、つまみ体１０を誤って回転させる可能性はある程度小さくなるが、誤動作が完全に防止されるものではなかった。
【特許文献１】特開２００４−３５６４４１号公報、段落００１７〜段落００３６、図１〜図４
【発明の開示】
【発明が解決しようとする課題】
【０００７】
この発明は上記した点に鑑みてなされたものであって、その目的とするところは、誤動作を防止できる回転電子機器の操作つまみを提供することにある。
【課題を解決するための手段】
【０００８】
この発明の回転電子機器の操作つまみは、電子機器のケースに設けられた貫通穴の奥に回転軸の先端が配置される回転電子機器の操作つまみであって、前記回転軸の先端に非円形の凹部または凸部を設け、操作つまみに一体に形成された軸の先端に前記凹部または凸部と嵌合する凸部または凹部を設け、前記操作つまみを前記回転電子機器の回転軸に挿脱可能としたものである。なお、回転電子機器としては、回転電源スイッチ、機械式ボリューム、周波数を切替えるロータリスイッチ、デジタル信号を切替えるロータリエンコーダ等がある。
【０００９】
また、前記回転電子機器の操作つまみにおいて、前記非円形の凹部または凸部を正六角形としたものである。
【００１０】
また、各前記回転電子機器の操作つまみが携帯無線機に用いられたものである。
【発明の効果】
【００１１】
この発明の回転電子機器の操作つまみによれば、通常は操作つまみは回転電子機器の回転軸から外されており、回転電子機器の回転軸はケースの奥にあるので、回転電子機器を誤動作させる恐れがない。
【発明を実施するための最良の形態】
【００１２】
以下この発明を実施するための最良の形態を実施例に即して説明する。
【実施例１】
【００１３】
図１はこの発明の実施例１である回転電子機器としてのロータリエンコーダの操作つまみが用いられた携帯無線機を示す斜視図、図２（ａ）は同操作つまみを示す正面図、図２（ｂ）は同操作つまみを示す底面図、図３（ａ）はこの発明の実施例１の携帯無線機に用いられるロータリエンコーダを示す正面図、図３（ｂ）は同ロータリエンコーダを示す上面図、図４（ａ）はこの発明の実施例１の携帯無線機の部分を示す断面図、図４（ｂ）は同部分の他の状態を示す断面図である。
【００１４】
図１に示す携帯無線機１には図４に示すチャンネル切替え用のロータリエンコーダ３と図１０および図１１の従来例で説明した音量調整用ボリュームが用いられている。図４に示すように、ロータリエンコーダ３の回転軸の先端はケース２の穴２ａの奥に配置されており、図３（ｂ）に示すように正六角形の凹部３ａが設けられている。
【００１５】
図３に示すチャンネル切替え用のロータリエンコーダ３および音量調整用ボリュームの回転軸を回転させるために操作つまみ４が図１に矢印で示すように携帯無線機１のケース２の穴２ａに差込まれて図３（ｂ）に示すロータリエンコーダ３の回転軸の凹部３ａと嵌合される。操作つまみ４は図２に示すように、穴を有する頭部４ｂの下側に正六角形の軸４ａが一体に形成された構造であり、軸４ａとロータリエンコーダ３の回転軸の凹部３ａは緩く嵌合し、軸４ａは凹部３ａに対して容易に抜き差しできる。
【００１６】
そして、チャンネル切替えの回転軸の凹部３ａと音量調整用ボリュームの回転軸の凹部は同形状であり、ロータリエンコーダ３および音量調整用ボリュームを操作するときのみ、操作つまみ４の軸４ａを夫々の回転軸の凹部と嵌合させるが、操作つまみ４は通常はロータリエンコーダ３および音量調整用ボリュームから外されている。
【００１７】
図４（ａ）にロータリエンコーダ３から操作つまみ４が外された状態を示しており、図４（ａ）にロータリエンコーダ３の操作つまみ４がロータリエンコーダ３の回転軸の凹部３ａと嵌合された状態を示している。このようにロータリエンコーダ３を操作しないときは、ロータリエンコーダ３の回転軸は誤動作により回転しないので、ロータリエンコーダ３が通信チャンネルの設定に用いられいる場合に、通常使用しているチャンネルが誤動作により変更され、再設定に手間がかかる等のトラブルが発生することがない。
【００１８】
この実施例では操作つまみと回転軸の嵌合する凹部および凸部が正六角形であるため、小さい外径で大きいトルクを伝えることができ、また、６か所の回転位置で嵌合できるため、操作つまみを嵌合させる位置合わせが簡単である。
【実施例２】
【００１９】
図５（ａ）はこの発明の実施例２である携帯無線機に用いられるロータリエンコーダの操作つまみを示す正面図、図５（ｂ）同ロータリエンコーダの操作つまみを示す底面図、図６（ａ）は同携帯無線機に用いられるロータリエンコーダを示す正面図、図６（ｂ）は同ロータリエンコーダを示す上面図である。この例では操作つまみ６の頭部６ｂと一体の軸６ａとロータリエンコーダ５の回転軸の凹部５ａが三日月形となっている。他の構成は実施例１と同様であり詳細な説明を省略する。
【００２０】
この実施例では操作つまみと回転軸の嵌合する凹部および凸部が三日月形の異形であるため、一般の工具等で、回転軸を回転させることができず、車載用電子機器等に適用した場合に盗難防止効果が大きくなる。
【実施例３】
【００２１】
図７（ａ）はこの発明の実施例３である携帯無線機に用いられるロータリエンコーダの操作つまみを示す正面図、図７（ｂ）同ロータリエンコーダの操作つまみを示す底面図である。図８（ａ）は同携帯無線機に用いられるロータリエンコーダを示す正面図、図８（ｂ）は同ロータリエンコーダを示す上面図である。この例では操作つまみ８の頭部８ｂと一体の軸８ａとロータリエンコーダ７の回転軸の凹部７ａが直角三角形となっている。他の構成実施例１と同様であり詳細な説明を省略する。
【００２２】
この実施例では操作つまみと回転軸の嵌合する凹部および凸部が直角三角形の異形であるため、一般の工具等で、回転軸を回転させることができず、車載用電子機器等に適用した場合に盗難防止効果が大きくなる。
【００２３】
図９は上記各実施例で用いられた操作つまみの使用の態様を示す正面図である。このように、操作つまみ４、６、８の頭部の穴に紐１０を通して首にぶら下げることにより操作つまみを紛失することが防止される。この発明を車載用電子機器に適用する場合に、紐を通した操作つまみと車両のキーを一体として保管すると便利に車載用電子機器を使用することができる。
【００２４】
実施例は以上のように構成されているが発明はこれに限られず、例えば、回転電子機器の回転軸に凸部を形成し、操作つまみに凹部を形成してもこの発明の効果を得ることができる。
【図面の簡単な説明】
【００２５】
【図１】この発明の実施例１であるロータリエンコーダの操作つまみが用いられた携帯無線機を示す斜視図である。
【図２】図２（ａ）は同操作つまみを示す正面図、図２（ｂ）は同操作つまみを示す底面図である。
【図３】図３（ａ）はこの発明の実施例１の携帯無線機に用いられるロータリエンコーダを示す正面図、図３（ｂ）は同ロータリエンコーダを示す上面図である。
【図４】図４（ａ）はこの発明の実施例１の携帯無線機の部分を示す断面図、図４（ｂ）は同部分の他の状態を示す断面図である。
【図５】図５（ａ）はこの発明の実施例２である携帯無線機に用いられるロータリエンコーダの操作つまみを示す正面図、図５（ｂ）同ロータリエンコーダの操作つまみを示す底面図である。
【図６】図６（ａ）はこの発明の実施例２の携帯無線機に用いられるロータリエンコーダを示す正面図、図３（ｂ）は同ロータリエンコーダを示す上面図である。
【図７】図７（ａ）はこの発明の実施例３である携帯無線機に用いられるロータリエンコーダの操作つまみを示す正面図、図７（ｂ）同ロータリエンコーダの操作つまみを示す底面図である。
【図８】図８（ａ）はこの発明の実施例３である携帯無線機に用いられるロータリエンコーダを示す正面図、図８（ｂ）は同ロータリエンコーダを示す上面図である。
【図９】上記各実施例での使用の態様を示す正面図である。
【図１０】図１０（ａ）は従来の携帯無線機の例を示す斜視図、図１０（ｂ）は同携帯無線機の他の状態例を示す斜視図である。
【図１１】図１１（ａ）は同携帯無線機の部分を示す断面図、図１１（ｂ）は同部分の他の状態を示す断面図である。
【符号の説明】
【００２６】
１  携帯無線機
２  ケース、２ａ  穴
３  ロータリエンコーダ、３ａ  凹部
４  操作つまみ、４ａ  軸、４ｂ  頭部
５  ロータリエンコーダ、５ａ  凹部
６  操作つまみ、６ａ  軸、６ｂ  頭部
７  ロータリエンコーダ、７ａ  凹部
８  操作つまみ、８ａ  軸、８ｂ  頭部
１０  紐
１１Ａ  ロータリエンコーダ、１１ａ  回転軸
１１ｂ  回転軸
１２Ａ  操作つまみ
１２Ｂ  操作つまみ
【図１】
2009176492.tif 000003
【図２】
2009176492.tif 000004
【図３】
2009176492.tif 000005
【図４】
2009176492.tif 000006
【図５】
2009176492.tif 000007
【図６】
2009176492.tif 000008
【図７】
2009176492.tif 000009
【図８】
2009176492.tif 000010
【図９】
2009176492.tif 000011
【図１０】
2009176492.tif 000012
【図１１】
2009176492.tif 000013